(57)【要約】【課題】稼働中の蓄電池から取得した計測データを用いて、蓄電池を高精度に評価可能にする。【解決手段】データ断片生成部は、稼働中の蓄電池から計測された電圧および電流に関する計測データから、対象となるＳＯＣ範囲に属する電圧と蓄電電荷量との関係を表すデータ断片を生成する。教師データ選択部は、あらかじめ電圧と蓄電電荷量との関係を表す複数の教師データ候補を収集した劣化特性データベースから、教主データ候補のＳＯＣ範囲に対応する部分と、データ断片との比較に基づき、教師データ候補のうちの１つである教師データを選択する。充放電データ生成部は、教師データ選択部で選択された教師データとデータ断片とを合成することにより、稼働中の蓄電池の推定される充放電データを生成する。【選択図】図１
2016126891.tif 000002
【特許請求の範囲】
【請求項１】
稼働中の蓄電池から計測された電圧および電流に関する計測データから、対象となるＳＯＣ（Ｓｔａｔｅ  Ｏｆ  Ｃｈａｒｇｅ）範囲に属する電圧と蓄電電荷量との関係を表すデータ断片を生成するデータ断片生成部と、
あらかじめ蓄電池の劣化状態ごとに電圧と蓄電電荷量との関係を表す複数の教師データ候補を収集した劣化特性データベースから、当該教師データ候補の前記ＳＯＣ範囲に対応する部分と、前記データ断片との比較に基づき、前記教師データ候補のうちの１つである教師データを選択する教師データ選択部と、
前記教師データ選択部で選択された前記教師データと前記データ断片とを合成することにより、前記稼働中の蓄電池の推定される充放電データを生成する充放電データ生成部と、
を備えた蓄電池評価装置。
【請求項２】
前記充放電データ生成部は、前記教師データのうち前記ＳＯＣ範囲に対応する部分を、前記データ断片と置換することにより、前記稼働中の蓄電池の充放電データを生成する
請求項１に記載の蓄電池評価装置。
【請求項３】
前記稼働中の蓄電池の推定される充放電データに基づき、前記稼働中の蓄電池の電圧の変化量および前記稼働中の蓄電池の蓄電電荷量の変化量間の比率と、前記稼働中の蓄電池の電圧との関係を表すｄＱｄＶデータを算出するｄＱｄＶデータ算出部と、
前記ｄＱｄＶデータに基づき、前記稼働中の蓄電池の特徴量を算出する特徴量算出部と、
前記特徴量を用いて、前記稼働中の蓄電池の劣化状態を評価する電池評価部と
を備えた請求項１または２に記載の蓄電池評価装置。
【請求項４】
前記電池評価部は、前記特徴量を、前記教師データのｄＱｄＶデータから算出される特徴量と比較することにより、前記稼働中の蓄電池の劣化状態を評価する
請求項３に記載の蓄電池評価装置。
【請求項５】
前記電池評価部は、前記特徴量と、前記稼働中の蓄電池の将来の使用条件とに基づいて、前記稼働中の蓄電池の余寿命を予測する
請求項３または４に記載の蓄電池評価装置。
【請求項６】
前記稼働中の蓄電池の将来の使用条件を設定する使用条件設定部をさらに備え、
前記電池評価部は、前記使用条件設定部により設定された前記将来の使用条件を用いる
請求項５に記載の蓄電池評価装置。
【請求項７】
前記データ断片生成部は、前記ＳＯＣ範囲における前記計測データの量、または前記ＳＯＣ範囲における前記計測データの網羅度が、閾値以上であるかを検査し、前記閾値以上のときは、前記データ断片の生成を行い、前記閾値未満のときは、前記閾値以上になるまで、前記データ断片の生成を待機する
請求項１ないし６のいずれか一項に記載の蓄電池評価装置。
【請求項８】
前記稼働中の蓄電池の推定される充放電データに基づき、前記稼働中の蓄電池の電圧の変化量および前記稼働中の蓄電池の蓄電電荷量の変化量間の比率と、前記稼働中の蓄電池の電圧との関係を表すｄＱｄＶデータを算出するｄＱｄＶデータ算出部と、
前記ｄＱｄＶデータに基づき、前記稼働中の蓄電池の特徴量を算出する特徴量算出部と、
前記特徴量を、前記教師データのｄＱｄＶデータから算出される特徴量と比較することにより、前記データ断片生成部で使用する前記閾値の値を設定する閾値設定部
を備えた請求項７に記載の蓄電池評価装置。
【請求項９】
前記充放電データ生成部は、前記データ断片で置換された教師データを平滑化処理することにより、前記稼働中の蓄電池の推定される充放電データを生成する
請求項２に記載の蓄電池評価装置。
【請求項１０】
前記稼働中の蓄電池の推定される充放電データに基づき、前記稼働中の蓄電池の電圧の変化量および前記稼働中の蓄電池の蓄電電荷量の変化量間の比率と、前記稼働中の蓄電池の電圧との関係を表すｄＱｄＶデータを算出するｄＱｄＶデータ算出部と、
前記ｄＱｄＶデータに基づき、前記稼働中の蓄電池の特徴量を算出する特徴量算出部と、
前記特徴量を、前記教師データのｄＱｄＶデータから算出される特徴量と比較することにより、前記平滑化処理を制御するパラメータの値を設定するパラメータ設定部と
を備えた請求項９に記載の蓄電池評価装置。
【請求項１１】
蓄電池に対して劣化試験を行うことで、電圧と蓄電電荷量との関係を表す充放電データを、劣化状態毎に生成し、
前記充放電データからｄＱｄＶデータを生成し、前記ｄＱｄＶデータから前記蓄電池の特徴量を算出し、
前記蓄電池の特徴量と前記劣化状態の相関を解析することにより、有意な特徴量を選択し、選択した特徴量が現れるＳＯＣ範囲を特定する特徴量選択部と、を備え、
前記特徴量算出部は、前記ｄＱｄＶデータから、前記選択された特徴量を算出する
請求項１ないし１０のいずれか一項に記載の蓄電池評価装置。
【請求項１２】
稼働中の蓄電池から計測された電圧および電流に関する計測データから、対象となるＳＯＣ（Ｓｔａｔｅ  Ｏｆ  Ｃｈａｒｇｅ）範囲に属する電圧と蓄電電荷量との関係を表すデータ断片を生成するデータ断片生成ステップと、
あらかじめ蓄電池の劣化状態ごとに、電圧と蓄電電荷量との関係を表す複数の教師データ候補を収集した劣化特性データベースから、当該教師データ候補の前記ＳＯＣ範囲に対応する部分と、前記データ断片との比較に基づき、前記教師データ候補のうちの１つである教師データを選択する選択ステップと、
前記選択ステップで選択された前記教師データと、前記データ断片とを合成することにより、前記稼働中の蓄電池の推定される充放電データを生成する充放電データ生成ステップと、
をコンピュータが実行する蓄電池評価方法。
【請求項１３】
稼働中の蓄電池から計測された電圧および電流に関する計測データから、対象となるＳＯＣ（Ｓｔａｔｅ  Ｏｆ  Ｃｈａｒｇｅ）範囲に属する電圧と蓄電電荷量との関係を表すデータ断片を生成するデータ断片生成ステップと、
あらかじめ蓄電池の劣化状態ごとに、電圧と蓄電電荷量との関係を表す複数の教師データ候補を収集した劣化特性データベースから、当該教師データ候補の前記ＳＯＣ範囲に対応する部分と、前記データ断片との比較に基づき、前記教師データ候補のうちの１つである教師データを選択する選択ステップと、
前記選択ステップで選択された前記教師データと、前記データ断片とを合成することにより、前記稼働中の蓄電池の推定される充放電データを生成する充放電データ生成ステップと、
をコンピュータに実行させるためのプログラム。
【発明の詳細な説明】
【技術分野】
【０００１】
本実施形態は、蓄電池評価装置、蓄電池評価方法およびプログラムに関する。
【背景技術】
【０００２】
定置用大型蓄電システム（ＥＳＳ：Ｅｎｅｒｇｙ  Ｓｔｏｒａｇｅ  Ｓｙｓｔｅｍ）のような、常時稼働が前提となる蓄電池システムでは、常に充電と放電が入れ替わったり、電流値が変動したりする。このため、稼働中の蓄電池システムから得られるリアルタイムの計測データは乱雑なものとなりがちである。したがって、このようにして得られた計測データを用いても、高精度な充放電曲線は得られず、したがって、高精度な劣化評価も困難である。
【先行技術文献】
【特許文献】
【０００３】
【特許文献１】特開２０１４−２０５５号公報
【発明の概要】
【発明が解決しようとする課題】
【０００４】
本発明の実施形態は、稼働中の蓄電池から取得した計測データを用いて、蓄電池の評価を高精度に行うことを可能にする。
【課題を解決するための手段】
【０００５】
本発明の実施形態としての蓄電池評価装置は、データ断片生成部、教師データ選択部および充放電データ生成部を備える。
【０００６】
データ断片生成部は、稼働中の蓄電池から計測された電圧および電流に関する計測データから、対象となるＳＯＣ（Ｓｔａｔｅ  Ｏｆ  Ｃｈａｒｇｅ）範囲に属する電圧と蓄電電荷量との関係を表すデータ断片を生成する。
【０００７】
教師データ選択部は、あらかじめ蓄電池の劣化状態ごとに電圧と蓄電電荷量との関係を表す複数の教師データ候補を収集した劣化特性データベースから、教師データ候補のＳＯＣ範囲に対応する部分と、データ断片との比較に基づき、教師データ候補のうちの１つである教師データを選択する。
【０００８】
充放電データ生成部は、教師データ選択部で選択された教師データとデータ断片とを合成することにより、稼働中の蓄電池の推定される充放電データを生成する。
【図面の簡単な説明】
【０００９】
【図１】第１の実施形態に係る蓄電池評価装置のブロック図。
【図２】特徴量部分特定データベースの例を示す。
【図３】第１の実施形態の動作の具体例を説明するための模式図。
【図４】劣化特性データベースに格納された１つの劣化特性データの例を示す。
【図５】劣化特性データベース内に劣化状態毎に劣化特性データが格納されている様子を示す。
【図６】第１の実施形態に係る動作例のフローチャート。
【図７】第２の実施形態に係る蓄電池評価装置のブロック図。
【図８】第２の実施形態に係る動作例のフローチャート。
【図９】第３の実施形態に係る蓄電池評価装置のブロック図。
【図１０】第３の実施形態に係る動作例のフローチャート。
【図１１】第４の実施形態に係る蓄電池評価装置のブロック図。
【図１２】第４の実施形態に係る動作例のフローチャート。
【図１３】第５の実施形態に係る蓄電池評価装置のブロック図。
【図１４】第５の実施形態に係る特徴量の例を示す図。
【図１５】第５の実施形態に係る動作例のフローチャート。
【図１６】本発明の実施形態に係る蓄電池評価装置のハードウェア構成例を示す図。
【発明を実施するための形態】
【００１０】
以下、図面を参照しながら、本発明の実施形態について説明する。
【００１１】
（第１の実施形態）
図１に、第１の実施形態に係る蓄電池評価装置のブロック図を示す。
【００１２】
図１の蓄電池評価装置は、評価対象となる蓄電池１０に接続されている。蓄電池１０は、稼働中であり、負荷または電力系統等に対して電力を充放電、または充放電可能な状態になっている。
【００１３】
蓄電池１０は、任意の二次電池でよく、例えば、リチウムイオン電池、リチウムイオンポリマー電池、鉛蓄電池、ニッケルカドミウム電池、ニッケル水素電池などが挙げられる。ここでは主にリチウムイオン二次電池を想定する。蓄電池１０は、ＥＳＳに用いられる蓄電池の他、携帯電子機器等の蓄電池でも、電気自動車のバッテリーでもよいし、その他の用途に用いられる電池でもよい。
【００１４】
蓄電池１０には、電流および電圧等に関するデータを計測する手段が設けられ、蓄電池１０から計測されたデータ（計測データ）が一定間隔で出力される。計測データは、電圧および電流の値が含まれていてもよいし、電圧および電流の値の代わりに、あるいは、電圧および電流の値とともに、電力の値が含まれていてもよい。また、環境温度およびＳＯＣの少なくとも一方がさらに含まれていてもよい。蓄電池評価装置は、蓄電池１０から出力された計測データを有線または無線で受信し、計測データベース１１に逐次格納する。計測データの取得間隔は、計算能力やデータ保存容量等の制限が無いという仮定において、短い方が望ましい。
【００１５】
蓄電池１０から計測データを取得する。蓄電池評価装置は、蓄電池１０から取得した計測データを格納する計測データベース（ＤＢ）１１と、充放電曲線断片生成部（データ断片生成部）２１と、教師データ選択部２２と、充放電曲線生成部（データ生成部）２３と、特徴量部分特定データベース３１と、劣化特性データベース４１とを備える。蓄電池評価装置と蓄電池１０とが同じ蓄電池システムに組み込まれてもよいし、蓄電池評価装置が、蓄電池１０を搭載した蓄電池システムに外部接続されてもよい。蓄電池システムの例として、ＥＳＳと呼ばれる大型蓄電池システムが挙げられる。
【００１６】
計測データベース１１は、蓄電池１０から出力される計測データを内部に保存する。計測データは、計測対象である蓄電池１０の識別子に対応づけて保存してもよい。計測データベース１１は、充放電曲線断片生成部２１からの要求に応じて、内部に記憶している計測データを出力する。
【００１７】
特徴量部分特定データベース３１は、評価対象となる蓄電池１０と同じ種類の蓄電池について、特徴量名（特徴量の種類）と、特徴量の算出方法と、ＳＯＣ（Ｓｔａｔｅ  Ｏｆ  Ｃｈａｒｇｅ）範囲とを格納している。図２に、特徴量部分特定データベース３１に格納されるデータの例を示す。ここで、同じ種類の蓄電池とは、一例として、型番が同じ蓄電池でもよいし、シリーズが同じ蓄電池でもよいし、正極・負極に用いる素材が同じ蓄電池でもよいし、その他の基準で種類を分類してもよい。
【００１８】
特徴量は、蓄電池の劣化状態と相関するパラメータであり、充放電曲線または充放電曲線の微分曲線から導出されることができる。充放電曲線は、蓄電池の蓄電電荷量Ｑと電圧Ｖとの関係を示すデータ（充放電データ）であり、ＱＶ曲線とも呼ばれる。充放電曲線は、蓄電池に充電を行うことで蓄電電荷量Ｑと電圧Ｖの関係を取得した充電曲線、蓄電池に放電を行うことで蓄電電荷量Ｑと電圧Ｖの関係を取得した放電曲線のどちらを指してもよい。充放電曲線の微分曲線は、ｄＱｄＶ曲線とも呼ばれ、蓄電池の蓄電電荷量Ｑを電圧Ｖで微分したｄＱ／ｄＶと、電圧Ｖとの関係を示す曲線である。ｄＱｄＶ曲線は、蓄電池の電圧の変化量および蓄電池の蓄電電荷量の変化量間の比率と、蓄電池の電圧との関係を表すｄＱｄＶデータである。充放電データおよびｄＱｄＶデータは曲線で表現される必要はなく、データ点のプロット集合として表現されてもよいし、その他の形態で表現されてもよい。特徴量は、ＱＶ曲線またはｄＱｄＶ曲線の形状に関わり、一例として、極小値算出、極大値算出、ピーク面積算出、ピーク間距離算出、ピークの高さ比算出などを利用して算出される。
【００１９】
図２に例示した特徴量は、ｄＱｄＶ曲線から算出される特徴量であり、これらの特徴量の詳細は、後述する他の実施形態で述べる。本実施形態では特徴量として、主にｄＱｄＶ曲線から算出される特徴量を想定する。以下では、特徴量というときは、ｄＱｄＶ曲線から算出される特徴量を指すものとする。
【００２０】
図２に示す、特徴量の算出方法は、一定のアルゴリズムによってｄＱｄＶ曲線またはＱＶ曲線から何らかの値を出力する手順を指す。代表的な例として、ピーク検出手順や、変曲点検出手順などがある。一般に、ＱＶ曲線の形では肉眼で確認しにくい特徴も、ｄＱｄＶ曲線では、目立ったピークや谷間となり、視認性が向上する。
【００２１】
図２に示すＳＯＣ範囲は、特徴量が有効に現れる蓄電池のＳＯＣ範囲である。特徴量は、その種類に応じて、その現れるＳＯＣ範囲が異なる。ここで、ＳＯＣは、蓄電池の容量のうち蓄電電荷量が占める割合を評価する値である。ＳＯＣは、例えば、Ｈ１％〜Ｈ２％（Ｈ１、Ｈ２は０以上１００以下の実数）の範囲内の値を有する。図示のＳＯＣ７、ＳＯＣ１０等の表記は、ＳＯＣの値を模式的に表したものである。図示の例では、特徴量ごとに、ＳＯＣ範囲が１つ指定されているが、複数のＳＯＣ範囲が指定されてもよい。
【００２２】
充放電曲線断片生成部２１は、特徴量部分特定データベース３１に基づき、予め指定された特徴量に対応するＳＯＣ範囲（対象となるＳＯＣ範囲）を取得する。予め指定された特徴量は、特徴量部分特定データベース３１に定義される特徴量のうちの１つでもよいし、複数でもよい。また、充放電曲線断片生成部２１は、計測データベース１１に保存された計測データのうち少なくともＳＯＣ範囲に属する計測データを用いて、当該ＳＯＣ範囲において電圧と蓄電電荷量との関係を表す充放電曲線を生成する。当該ＳＯＣ範囲内で生成した充放電曲線を、“充放電曲線断片”（充放電データ断片）と呼ぶ。
【００２３】
計測データベースにＳＯＣ範囲に属する十分な量の計測データが無い場合は、計測データがさらに蓄積するまで待つ。十分なデータ量が有るか否かは、計測データのデータ量（データ点数）が閾値以上あるかを判定することで行ってもよい。または、ＳＯＣ範囲における、計測データに対応するＳＯＣの網羅度が、閾値以上か否かを判定することで行ってもよい。網羅率は、ＳＯＣ範囲全体をどの程度計測データがカバーしているかを表す。例えばＳＯＣ範囲を細かい区間に分け、各区間に一定数以上の計測データが含まれる区間数の割合によって網羅度を算出できる。計測データにＳＯＣが含まれている場合、このＳＯＣを用いて網羅度を算出することができる。また、計測データにＳＯＣが含まれていない場合、計測データに含まれる電圧データや電流データからＳＯＣを算出し、網羅度を算出してもよい。
【００２４】
図３を参照して、充放電曲線断片の生成例を示す。計測データベースから計測データを読み出し、図３（Ａ）に示すように、時間ｔと電力Ｐのデータを生成する。横軸が時間ｔ、縦軸が電力Ｐである。計測データに、電流のデータが含まれる場合は、そのデータをそのまま用いればよい。さもなければ、電圧と電力のデータから、電流のデータを取得してもよい。時間ｔと電流ｉのデータを取得したら、電流を時間方向に累積（充電の場合、加算、放電の場合、減算となる）することで、電圧Ｖと蓄電電荷量Ｑのデータを得る。電圧Ｖと蓄電電荷量Ｑのデータ例を図３（Ｂ）に示す。横軸が蓄電電荷量Ｑ、縦軸が電圧である。充放電が頻繁に入れ替わるため、乱雑な形状のデータとなる。電圧Ｖと蓄電電荷量Ｑのデータのうち、ＳＯＣ範囲に対応するデータ部分を特定する（蓄電電荷量Ｑの値からＳＯＣを算出可能であることから、電圧Ｖと蓄電電荷量Ｑのデータのうち、ＳＯＣ範囲に対応するデータ部分を特定できる）。図３（Ｃ）において矩形の枠で囲んだ部分が、特定したデータ部分である。このデータ部分を曲線で近似することで、充放電曲線断片を得る。図３（Ｄ）において、太線の曲線が充放電曲線断片である。近似の方法として、ＳＯＣ範囲において、細かな幅ごとにＶの値の単純平均をとることで充放電曲線断片を取得してもよい。あるいは、ＳＯＣ範囲内の全てのデータから回帰曲線を算出してもよい。あるいは、ＯＣＶ（Ｏｐｅｎ  Ｃｉｒｃｕｉｔ  Ｖｏｌｔａｇｅ）曲線を算出してもよい。その他の公知の方法を用いてもよい。ＯＣＶ曲線は、充放電の電流の値極小にしたとき時に得られる充放電曲線である。本実施形態では、ＯＣＶ曲線は、充放電曲線の範疇に含める。
【００２５】
劣化特性データベース４１は、評価対象となる蓄電池１０と同じ種類の蓄電池について、劣化状態毎に、劣化特性データを記憶している。劣化特性データベース４１は、蓄電池１０と同型の蓄電池のみならず、蓄電池の種類毎に、劣化状態毎の劣化特性データを記憶していてもよい。蓄電池１０が複数の電池セルからなるときは、当該電池セルと同型のセルについて、劣化状態毎の劣化特性データを記憶してもよい。
【００２６】
劣化特性データは、例えば、評価対象となる蓄電池１０の電池性能（電池容量、内部抵抗など）、充放電曲線（ＱＶ曲線）、特徴量、及びＳＯＣ範囲を含むが、これに限られない。例えば、ｄＱｄＶ曲線を含んでもよい。
【００２７】
劣化特性データは、蓄電池１０と同型の蓄電池について、制御された環境条件下で事前に加速劣化試験を行うことにより得られる。
【００２８】
環境条件としては、例えば、環境温度、ＳＯＣ、及び定電流レート（試験で蓄電池に流す電流のレート）、経過時間など、電池性能または特徴量との間に相関関係や因果関係の認められる変数が用いられる。電池性能または特徴量との間に相関関係や因果関係の認められる限り、他の変数を用いてもよい。
【００２９】
図４に、劣化特性データベース４１に保存されている劣化特性データの例を示す。図示の劣化特性データは、蓄電池１０と同型の蓄電池について、ある劣化状態における劣化特性データである。電池Ａに対して、ＳＯＣが７０％、定電流レートが１Ｃ、環境温度が４５℃の条件下で行われた加速劣化試験により得られた劣化特性を示す。
【００３０】
図示の例では、劣化特性として、有電流劣化時間、無電流劣化時間、容量、内部抵抗、および充放電曲線（ＱＶ曲線）が示される。有電流劣化時間は、１Ｃの定電流レートがかかっていた時間、無電流劣化時間は、１Ｃの定電流レートがかかっていなかった時間である。容量は、初期の蓄電池の容量×ＳＯＨで計算される。ＳＯＨは、容量劣化率（Ｓｔａｔｅ  Ｏｆ  Ｈｅａｌｔｈ）である。内部抵抗は、オーミック抵抗である。さらに、劣化特性として、特徴量の種類、値、算出方法、およびＳＯＣ範囲が保存されている。
【００３１】
図示の特徴量の値は、図４のＱＶ曲線に基づいて、ｄＱｄＶ曲線を取得し、ｄＱｄＶ曲線から算出したものである。特徴量の種類、算出方法およびＳＯＣ範囲は、特徴量部分特性データベース３１に保存された、蓄電池１０と同型の蓄電池と同一である。図４に示すような劣化特性データが、劣化状態毎に保存されている。このイメージ図を図５に示す。ＱＶ曲線以外の図示は省略しているが、実際には、これ以外にも図４と同様の情報が保存されている。
【００３２】
なお図４で示した特徴量の値は、ｄＱｄＶ曲線から算出されるものであるが、ＱＶ曲線（充放電曲線）から算出される特徴量を用いることも可能である。例えば、ピーク、谷間、変曲点、微分値の変曲点、微分値の極大値、微分値の極小値などが考えられる。この中でも、微分値である特徴量は、上記したｄＱｄＶ曲線に相当する。
【００３３】
教師データ選択部２２は、劣化特性データベース４１に保存されている劣化状態毎の充放電曲線を教師データ候補とし、充放電曲線断片生成部２１により生成された充放電曲線断片を、各教師データ候補と比較する。より正確には、充放電曲線断片が得られたＳＯＣ範囲に対応する部分を教師データ候補から特定し、特定した部分と充放電曲線断片とを比較する。両者の差分に基づいて、教師データを選択する。例えば最も差分の小さい教師データ候補を、教師データとして選択する。最も差分の小さい教師データ候補を選択する方法として、具体的には、最小二乗誤差法でもよいし、Ｒ二乗値の最大化でもよいし、差の絶対値の和の最小化でもよい。教師データ選択部２２は、充放電曲線断片と、選択された教師データを識別する情報（教師データ識別情報）とを、充放電曲線生成部２３に出力する。
【００３４】
充放電曲線生成部２３は、教師データ選択部２２から充放電曲線断片と教師データ識別情報を受け取る。充放電曲線生成部２３は、教師データ識別情報に対応する充放電曲線（教師データ）を劣化特性データベース４１から取得し、充放電曲線断片と教師データとを合成することで、蓄電池１０の充放電曲線を生成する。なお、教師データ選択部２２は、教師データ識別情報ではなく、教師データそのものを充放電曲線生成部２３に渡してもよい。
【００３５】
具体的には、充放電曲線（教師データ）において、充放電曲線断片が存在するＳＯＣ範囲に対応する部分を、充放電曲線断片に置換する。充放電曲線断片と教師データは、双方とも電圧と蓄電電荷量からなるデータであるため、合成する時は、教師データのうち、充放電曲線断片が存在するＳＯＣ範囲について、充放電曲線断片と置換すればよい。充放電曲線（教師データ）のうち当該ＳＯＣ範囲に対応する部分を、教師データに置換する例を図３（Ｅ）に示す。
【００３６】
さらに、置換後の充放電曲線を任意の平滑化方法により平滑化する。充放電曲線を平滑化した例を図３（Ｆ）に示す。平滑化方法は、多項式回帰法でもよいし、移動平均法でもよい。充放電曲線生成部２３は、平滑化後の充放電曲線を出力する。ここでは、平滑化後の充放電曲線を出力したが、平滑化処理を省略し、平滑化されていない充放電曲線を出力してもよい。
【００３７】
出力された充放電曲線は、蓄電池１０の充放電曲線として推定されるものである。この充放電曲線を、蓄電池１０の充放電曲線として用いて、蓄電池１０の劣化評価または寿命評価等を行うことができる。例えば、この充放電曲線を、ｄＱｄＶ曲線に変換し、ｄＱｄＶ曲線から、予め指定された特徴量（すなわち、充放電曲線断片生成部２１で特定したＳＯＣ範囲に対応する特徴量）を算出する。そして、特徴量に基づいて、蓄電池１０の劣化評価または寿命評価を行う。これらの詳細は、後述する他の実施形態で述べる。
【００３８】
ここでは、教師データにおいてＳＯＣ範囲に対応する部分を、充放電曲線断片に置換することで、充放電曲線断片と教師データとの合成を行ったが、別の方法で合成してもよい。例えば教師データにおいてＳＯＣ範囲に対応する部分と、充放電曲線断片とを重み付け合計し（例えば１：１の重み付けで平均をとる）、重み付け合計後の曲線によって、教師データのＳＯＣ範囲に対応する部分を置換してもよい。もちろん、ここで述べた以外の方法で合成を行ってもよい。
【００３９】
図６に、図１に示した蓄電池評価装置の動作のフローチャートを示す。
【００４０】
（ステップ１０１）
稼働中の蓄電池１０で計測される電圧および電流等の計測データを取得し、計測データベース１１に保存する。
【００４１】
（ステップ１０２）
充放電曲線断片生成部２１が、予め指定された特徴量について、特徴量部分特定データベース３１で定められるＳＯＣ範囲を特定し、特定したＳＯＣ範囲内にある計測データを、計測データベース１１から抽出する。
【００４２】
（ステップ１０３）
充放電曲線断片生成部２１が、ステップ１０２で抽出された計測データについて、その量またはＳＯＣ範囲内での網羅率を閾値と比較し、閾値に満たない場合は、ステップ１０１に戻って、データの蓄積を待つ。閾値を超える場合は、ステップ１０４へ進む。
【００４３】
（ステップ１０４）
充放電曲線断片生成部２１が、ステップ１０２で抽出された計測データを元に、単純平均または公知の推定法を用いて、充放電曲線断片を生成する。
【００４４】
（ステップ１０５）
教師データ選択部２２が、劣化特性データベース４１に劣化状態毎に格納される充放電曲線を教師データ候補として、充放電曲線断片を、各教師データ候補の上記ＳＯＣ範囲に対応する部分と比較する。両者の差分に基づいて、教師データを選択する。例えば最も差分の小さい教師データ候補を、教師データとして選択する。
【００４５】
（ステップ１０６）
充放電曲線生成部２３が、ステップ１０５で選択された教師データと充放電曲線断片とを合成する。例えば、ステップ１０２で特定されたＳＯＣ範囲に対応する部分を、充放電曲線断片と置換する。
【００４６】
（ステップ１０７）
充放電曲線生成部２３が、置換後の充放電曲線を平滑化処理し、平滑化された充放電曲線を出力する。
【００４７】
以上、本実施形態によれば、稼働中の蓄電池の計測データに基づき、劣化評価に使用する特徴量に対応するＳＯＣ範囲内で充放電曲線（充放電曲線断片）を生成する。劣化状態毎の教師データ候補（充放電曲線）のうち、充放電曲線断片との差分が小さい教師データ候補を教師データとして選択し、教師データにおいて当該ＳＯＣ範囲に対応する部分を充放電曲線断片に置換する。置換後の充放電曲線を必要に応じて平滑化する。これにより、評価対象となる蓄電池の充放電曲線を得る。よって、稼働中の蓄電池から取得した計測データを用いて、蓄電池の充放電曲線を高精度なものとしてリアルタイムに取得できる。また、この充放電曲線を用いて蓄電池の劣化評価を行うことで、精度の高い劣化評価が可能となる。
【００４８】
（第２の実施形態）
本実施形態では、第１の実施形態で生成した、評価対象となる蓄電池の充放電曲線をｄＱｄＶ曲線に変換し、ｄＱｄＶ曲線から特徴量を抽出する。抽出した特徴量を、教師データの劣化特性データに含まれている特徴量と比較して、電池の劣化評価を行う。以下、本実施形態について詳細に説明する。
【００４９】
図７に、第２の実施形態に係る蓄電池評価装置のブロック図を示す。図１と同じ名称の要素には同一の符号を付して、変更または拡張された処理を除き、説明を省略する。
【００５０】
図７の蓄電池評価装置は、第１の実施形態に対して、ｄＱｄＶ曲線算出部２４、特徴量算出部３２、電池評価部４２が追加されている。
【００５１】
ｄＱｄＶ曲線算出部２４は、充放電曲線生成部２３により生成された蓄電池１０の充放電曲線について微分を実行することで、ｄＱｄＶ曲線を生成する。ｄＱｄＶ曲線算出部２４は、ｄＱｄＶ曲線を特徴量算出部３２に出力する。
【００５２】
特徴量算出部３２は、特徴量部分特定データベース３１から、予め指定された特徴量（充放電曲線断片生成部で特定したＳＯＣ範囲に対応する特徴量）の算出方法に関する情報を読み出す。特徴量算出部３２は、ｄＱｄＶ曲線算出部２４で算出されたｄＱｄＶ曲線から、当該算出方法に沿って特徴量を算出し、算出した特徴量を電池評価部４２へ出力する。
【００５３】
電池評価部４２は、特徴量算出部３２によって算出された特徴量（単数もしくは複数）を用いて、劣化特性データベース４１に保存された劣化状態毎の特性量の値および電池性能値（図２の例では電池容量値、内部抵抗値）に基づき、蓄電池の劣化評価を行う。
【００５４】
蓄電池の評価方法の例として、回帰分析を利用する方法がある。この場合、まず、劣化特性データベース４１に保存されている劣化状態毎の特徴量の値と電池性能値について、特徴量と電池性能値を関連づける回帰式を生成する。そして、特徴量算出部３２によって算出された特徴量を、回帰式に適用することで、蓄電池の電池性能値を、評価結果として得る。
【００５５】
別の評価方法の例として、特徴量に係数を掛けて、電池の性能を表す定量指標を得ることもできる。また、１つまたは複数の閾値を設け、特徴量を閾値と比較することにより、「使用可能」、「劣化進行」、「使用不能」といった、離散的な格付けを行う方法も可能である。なお、評価対象となった蓄電池について算出された特徴量および電池性能値の情報を、当該蓄電池の種類、測定条件（環境温度等）と対応付けて、劣化特性データベース４１に新たに格納してもよい。
【００５６】
出力部５０は、電池評価部４２で得られた評価結果を出力する。出力先の形態は任意でよい。例えば、ディスプレイまたはプリンタのような出力装置であってもよいし、通信インターフェースでもよい。通信インターフェースの場合、当該出力部５０から受け取った評価結果を、有線または無線の通信媒体を介して、別の装置に送信してもよい。
【００５７】
図８に、ｄＱｄＶ曲線算出部２４以降の処理のフローチャートを示す。充放電曲線生成部２３までの処理（ステップ１０７までの処理）は第１の実施形態と同様であるため、説明を省略する。
【００５８】
（ステップ２０１）
ｄＱｄＶ曲線算出部２４が、充放電曲線生成部２３で生成された蓄電池１０の充放電曲線を、ｄＱｄＶ曲線に変換する。
【００５９】
（ステップ２０２）
特徴量算出部３２が、特徴量部分特定データベース３１に保存された算出方法に従って、ｄＱｄＶ曲線について特徴量を算出する。
【００６０】
（ステップ２０３）
電池評価部４２が、ステップ２０２で算出された特徴量を用いて、劣化特性データベース４１に保存された劣化状態毎の特徴量の値と電池性能値とに基づき、蓄電池の劣化評価を行う。
【００６１】
（ステップ２０４）
出力部５０が、電池評価部４２で得られた評価結果を外部に出力する。
【００６２】
以上、本実施形態によれば、第１の実施形態と同じ方法で生成した精度の高い充放電曲線を用いることで、稼働中の蓄電池について、精度の高い劣化評価が可能となる。
【００６３】
（第３の実施形態）
本実施形態では、第１の実施形態と同様にして生成した蓄電池の充放電曲線を用いて、蓄電池の寿命評価を行う。以下、本実施形態について詳細に説明する。
【００６４】
図９に、第３の実施形態に係る蓄電池評価装置のブロック図を示す。図７と同じ名称の要素には同一の符号を付して、変更または拡張された処理を除き、説明を省略する。
【００６５】
図９の蓄電池評価装置は、図７に示した第２の実施形態に対して、使用条件設定部４３が追加されている。また、電池評価部４２が、電池の寿命予測を行う機能を備えている。
【００６６】
使用条件設定部４３は、蓄電池１０の今後の使用条件（以下、将来使用条件）を、電池評価部４２に出力する。使用条件設定部４３は、人が操作する入力装置でもよいし、外部から使用条件のデータを受信する通信インターフェースでもよい。将来使用条件としては、使用ＳＯＣ範囲、使用温度、電流値またはこれらの任意の組み合わせなどに基づき表すことが考えられる。将来使用条件は、劣化特性データベース４１を構築する際の劣化試験で設定した変数と同一の変数を用いることが望ましい。なお、将来使用条件は、蓄電池１０の現状の使用条件が維持されるというものでもよい。また、使用条件設定部４３は、電池寿命を判定するための閾値（電池性能閾値）を電池評価部４２に出力してもよい。なお、ここでは将来使用条件および電池性能閾値を、使用条件設定部４３から入力したが、将来使用条件および電池性能閾値をメモリ等の記憶部に格納しておき、電池評価部４２が当該記憶部から読み出すことにより、これらの条件および閾値を取得してもよい。
【００６７】
電池評価部４２は、特徴量算出部３２により算出された特徴量と、使用条件設定部４３から入力された蓄電池１０の将来使用条件とに基づき、劣化特性データベース４１を利用して蓄電池１０について、将来の電池性能の予測を行う。予測した電池性能に基づき、電池の余寿命を算出する。
【００６８】
具体的には、劣化特性データベース４１に格納されている劣化状態毎の劣化特性データに基づき、特徴量の時系列変化を、温度、電流、有電流劣化時間、無電流劣化時間などの使用条件と関連付けることにより、使用条件と特徴量変化の相関を表す式を生成する。この式に、使用条件設定部４３から入力された将来使用条件を適用することにより、将来に渡っての特徴量の変化を推定することができる。さらに、劣化状態毎の劣化特性データに基づき、特徴量と電池性能の相関を表す式を生成する。この式に、上記で得られた各時点での将来の特徴量を適用すれば、将来の各時点での電池性能の値を得ることができる。各時点での将来の電池性能値と、電池性能閾値とを比較することにより、電池寿命を算定することができる。
【００６９】
例えば電池性能値として容量値が、電池性能閾値としての容量閾値未満になった時点で蓄電池が寿命を迎えると推定できる。または、電池性能値としての内部抵抗値が、内部抵抗閾値以上になった時点で蓄電池が寿命を迎えると推定できる。すなわち、現在から、当該推定された時点までの長さが余寿命である。ここでは、電池性能閾値との比較により、寿命を迎えるか否かを判定したが、電池性能値と余寿命とを関連づけた関数またはテーブル等の評価データを用意し、当該評価データと電池性能閾値とから、余寿命を計算してもよい。
【００７０】
出力部５０は、電池評価部４２によって算出された余寿命を表す情報を外部に出力する。出力先の形態は、第２の実施形態と同様、ディスプレイ等の出力装置や、通信インターフェース等がある。
【００７１】
図１０に、ｄＱｄＶ曲線算出部以降の処理のフローチャートを示す。充放電曲線生成部２３までの処理（ステップ１０７までの処理）は第１または第２の実施形態と同様であるため、説明を省略する。
【００７２】
（ステップ３０１）
ｄＱｄＶ曲線算出部２４が、充放電曲線生成部２３で生成された蓄電池１０の充放電曲線を、ｄＱｄＶ曲線に変換する。
【００７３】
（ステップ３０２）
特徴量算出部３２が、特徴量部分特定データベース３１に保存された算出方法に従って、ｄＱｄＶ曲線について特徴量を算出する。
【００７４】
（ステップ３０３）
電池評価部４２が、ステップ２０２で算出された特徴量を用いて、使用条件設定部４３から入力される将来使用条件と、劣化特性データベース４１に保存された劣化状態毎の劣化特性データとに基づき、蓄電池の将来の電池性能値を算出する。そして、算出した電池性能値に基づき、蓄電池１０の余寿命を評価する。
【００７５】
（ステップ２０４）
出力部５０が、電池評価部４２で得られた余寿命を表す情報を、外部に出力する。
【００７６】
以上、本実施形態によれば、第１または第２の実施形態と同じ方法で生成した精度の高い充放電曲線を用いることで、稼働中の蓄電池について、精度の高い余寿命評価が可能となる。
【００７７】
（第４の実施形態）
本実施形態では、電池の劣化評価の精度を評価し、評価結果に応じて、充放電曲線断片を生成する際に用いる、データ量または網羅度を判定するための閾値を制御する。また、充放電曲線の平滑化処理に使用するパラメータの値を制御する。これにより、蓄電池の充放電曲線の生成精度を向上させる。以下、本実施形態について詳細に説明する。
【００７８】
図１１に、第４の実施形態に係る蓄電池評価装置のブロック図を示す。図７と同じ名称の要素には同一の符号を付して、変更または拡張された処理を除き、説明を省略する。
【００７９】
図１１の蓄電池評価装置は、図７に示した第２の実施形態に対して、閾値＆パラメータ設定部４４が追加されている。なお、第３の実施形態の蓄電池評価装置に対して、閾値＆パラメータ設定部４４を追加しても、本発明は実施可能である。
【００８０】
電池評価部４２は、第２の実施形態と同様にして、特徴量算出部３２によって算出された特徴量に基づき、蓄電池の劣化評価を行う。さらに、本実施形態では、教師データ選択部２２で選択された教師データを含む劣化特性データに含まれる特徴量と、特徴量算出部３２によって算出された特徴量とに基づき、電池の劣化評価の精度を算出する。充放電曲線断片と、教師データにおいて充放電曲線断片と置換される部分の波形が同一でない限り、両特徴量間には違いが生じ得るが、両者の差分が許容範囲内に収まることが望まれる。そこで、電池評価部４２は、特徴量の差分に応じた精度情報を算出し、当該精度情報を閾値＆パラメータ設定部４４に送る。特徴量が複数存在するときは、特徴量毎の差分の平均、合計、中央値など任意の値に基づき精度情報を算出してもよい。この際、特徴量毎に重み付けを行ってもよい。
【００８１】
閾値＆パラメータ設定部４４は、電池評価部４２で算出された精度情報に基づき、充放電曲線断片生成部２１で使用する、データ量または網羅度に関する閾値を制御する。例えば精度情報が大きいほど（精度が低いほど）、より多くの計測データを用いるように、閾値を変更する。精度情報の値または範囲に応じて、閾値の値を定義したテーブルを作成しておき、このテーブルに従って、閾値を選択してもよい。これにより、充放電曲線生成部２３から出力される充放電曲線の精度が向上し、ひいては電池評価の精度が向上する。
【００８２】
また、閾値＆パラメータ設定部４４は、電池評価部４２で算出された精度情報に基づき、充放電曲線生成部２３で平滑化に用いる多項式または移動平均を制御するパラメータの値を制御（増減など）させてもよい。例えば移動平均では、精度情報が大きいほど（精度が低いほど）、より滑らかな曲線が得られるように、平均を計算する幅（パラメータ）を大きくすることが考えられる。また、多項式では、パラメータとして定数項の値を増減させてもよい。これにより、充放電曲線生成部２３から出力される充放電曲線の精度が向上し、ひいては電池評価の精度が向上する。
【００８３】
閾値＆パラメータ設定部４４は、充放電曲線断片生成部２１の閾値制御、および充放電曲線生成部２３でのパラメータ値の制御の少なくとも一方を行えばよい。
【００８４】
図１２に、ｄＱｄＶ曲線算出部２４以降の処理のフローチャートを示す。充放電曲線生成部２３までの処理（ステップ１０７までの処理）は、第１または第２の実施形態と同様であるため、図示および説明を省略する。
【００８５】
（ステップ４０１）
ｄＱｄＶ曲線算出部２４が、充放電曲線生成部２３で生成された蓄電池１０の充放電曲線を、ｄＱｄＶ曲線に変換する。
【００８６】
（ステップ４０２）
特徴量算出部３２が、特徴量部分特定データベース３１に保存された算出方法に従って、ｄＱｄＶ曲線について特徴量を算出する。
【００８７】
（ステップ４０３）
電池評価部４２が、ステップ４０２で算出された特徴量を用いて、劣化特性データベース４１に保存された劣化状態毎の特徴量の値と電池性能値とに基づき、蓄電池の劣化評価を行う。電池評価部４２は、ステップ４０２で算出された特徴量と、教師データ選択部２２で選択された教師データを含む劣化特性データに含まれる特徴量との差分に応じた精度情報を算出し、閾値＆パラメータ設定部４４へ出力する。
【００８８】
（ステップ４０４）
出力部５０が、電池評価部４２で得られた評価結果を外部に出力する。
【００８９】
（ステップ４０５）
閾値＆パラメータ設定部４４が、精度情報に基づいて、充放電曲線断片生成部２１で用いる閾値を制御する。また、閾値＆パラメータ設定部４４が、充放電曲線生成部２３で平滑化に用いる多項式または移動平均を制御するパラメータの値を制御する。これらの制御のうちの一方のみを行ってもよい。この後、図６のステップ１０３に戻る。
【００９０】
以上、本実施形態によれば、蓄電池の劣化評価の精度情報に応じて、充放電曲線断片生成部２１で用いる閾値を制御する。また、充放電曲線生成部２３で平滑化に用いるパラメータの値を制御する。これにより、充放電曲線生成部２３から出力される充放電曲線の精度が向上し、ひいては電池評価の精度が向上する。
【００９１】
（第５の実施形態）
本実施形態では、劣化特性データベース４１から、特徴量部分特定データベース３１を自動的に構築する方法について説明する。この方法により、蓄電池システムに搭載される蓄電池が新たな種類の電池に変更された場合にも、新たな種類の電池の劣化特性データを劣化特性データベース４１に追加すれば、新たな電池に対する特徴量部分特定データが生成され、新たな種類の電池の劣化評価にも対応できる。以下、本実施形態について詳細に説明する。
【００９２】
図１３に、第５の実施形態に係る蓄電池評価装置のブロック図を示す。図７と同じ名称の要素には同一の符号を付して、変更または拡張された処理を除き、説明を省略する。
【００９３】
特徴量選択部４５は、劣化特性データベース４１に保存されている、各劣化状態における充放電曲線を、微分曲線、すなわちｄＱｄＶ曲線に変換する。ｄＱｄＶ曲線に基づき、１つまたは複数の特徴量を算出する。劣化状態毎に算出した特徴量を、それぞれの電池性能値（容量値、内部抵抗値など）と比較することにより、電池性能の決定に有意義な特徴量を選択する。例えば電池性能の劣化に応じて、有意な変化を示す特徴量を選択する。特徴量の選択基準として、電池性能と高い相関関係を示す特徴量は有意義と言え、時間経過と高い相関関係を示す特徴量も有意義と言え、温度や電流値などの条件と高い相関を示す特徴量も、有意義であるといえる。このような選択のアルゴリズムは、事前に与えておけばよい。
【００９４】
特定した特徴量については、その算出方法、および充放電曲線上で発現するＳＯＣ範囲を、特徴量部分特定データベース３１に保存する。
【００９５】
図１４に、有意な特徴量として選択された特徴量の例を示す。図１４（Ａ）において、ｄＱｄＶ曲線が示される。縦軸はｄＱｄＶ、横軸はＶである。ＶＬＭＯは、最も高いピークの横軸上での位置を示し、ＶＭＡＸ／５は、横軸の小さい値から曲線を辿った時に、曲線が、ＶＬＭＯピークの高さの５分の１まで増加した時、すなわち曲線が立ち上がる時の電圧の値である。なお、ＱＬＭＯは、ＶＬＭＯより右の面積、ＱＮＣＡは、ＶＬＭＯより左の面積である。ＶＬＭＯ、ＶＭＡＸ／５、ＱＬＭＯ、ＱＮＣＡは、選択された特徴量の一例である。
【００９６】
また、図１４（Ｂ）には、横軸がＶＬＭＯ−Ｖ（ＭＡＸ／５）、縦軸は蓄電池の劣化状態を示す容量劣化率（ＳＯＨ：Ｓｔａｔｅ  Ｏｆ  Ｈｅａｌｔｈ）とするグラフが示される。ＶＬＭＯ−ＶＭＡＸ／５と電池容量の間には、強い相関関係があることが示されている。換言すると、ＶＬＭＯ−ＶＭＡＸ／５から電池容量を推定できることを示している。ＶＬＭＯ−ＶＭＡＸ／５は、選択された特徴量の一例である。
【００９７】
図１４（Ａ）および図１４（Ｂ）で説明したものの他にも、図２に示したように、ＱＬＭＯ／Ｑ、ＱＮＣＡ／Ｑ、ＱＮＣＡ／ＱＬＭＯなど、他の種類の特徴量も選択され得る。
【００９８】
選択された特徴量に対するＳＯＣ範囲を特定する方法を説明する。例えば特徴量としてＶＬＭＯが選択された場合、劣化状態毎にＶＬＭＯに対応するＳＯＣ値を算出し、算出されたＳＯＣ値を包含する範囲を、ＶＬＭＯに対応するＳＯＣ範囲として、特定すればよい。
【００９９】
図１５（Ａ）に、蓄電池に対して劣化試験を行って、劣化特性データベースに劣化状態毎のデータを登録する手続の流れを示す。なお、劣化試験を行う際、蓄電池は、負荷または電力系統等から電気的に切り離され、計測機器に接続されて、充電または放電が行われる。
（ステップ５０１）
新たな蓄電池について、劣化試験を行う。劣化試験に際して、変数としては環境温度、電流値、ＳＯＣなどが挙げられる。劣化試験では、例えば一定レートで充電または放電を行。劣化試験は、例えば一定時間間隔で行う。
【０１００】
（ステップ５０２）
ステップ５０１の劣化試験により、各劣化状態ごとに、充放電曲線および電池性能が得られる。
【０１０１】
（ステップ５０３）
ステップ５０２で得られた充放電曲線と電池性能値、劣化試験時の変数の値（環境温度、電流値、ＳＯＣ等）を、劣化特性データベース４１に保存する。
【０１０２】
図１５（Ｂ）に、特徴量選択部４５の動作のフローチャートを示す。
（ステップ５１１）
劣化特性データベース４１に保存された劣化状態毎の充放電曲線を、ｄＱｄＶ曲線に変換し、特徴量を算出する。
【０１０３】
（ステップ５１２）
ステップ５１１で得られた特徴量のうち、電池性能と高い相関関係を示す有意義な特徴量を選択する。
【０１０４】
（ステップ５１３）
ステップ５１２で選択した特徴量について、特徴量の種類、算出方法と、特徴量が発現するＳＯＣ範囲とを、特徴量部分特定データベース３１に保存する。さらに、劣化特性データベース４１に、劣化状態毎に、特徴量部分特定データベース３１に保存したのと同じデータ（特徴量の種類、算出方法、ＳＯＣ範囲）と、当該選択された特徴量の値を保存する（図４参照）。
【０１０５】
以上、本実施形態によれば、新しい種類の蓄電池に対しても、その劣化特性データを劣化特性データベースに追加することで、本実施形態に係る劣化評価を行うことができる。
【０１０６】
図１６は、本発明の実施形態に係る蓄電池評価装置のハードウェア構成例を示す。第１〜第５の実施形態の蓄電池評価装置は、図１６に示すハードウェア構成で実現することができる。図１６の蓄電池評価装置は、ＣＰＵ６１、入力部６２、表示部６３、通信部６４、主記憶部６５、外部記憶部６６を備え、これらはバス６７により相互に通信可能に接続される。
【０１０７】
入力部６２は、キーボード、マウス等の入力デバイスを備える。表示部６３は、ＬＣＤ（Liquid Crystal Display）、ＣＲＴ（Cathode Ray Tube）等の表示ディスプレイを含む。通信部６４は、無線または有線の通信手段を有し、所定の通信方式で通信を行う。
【０１０８】
外部記憶部６６は、例えば、ＨＤＤ、ＳＳＤ、メモリ装置、ＣＤ−Ｒ、ＣＤ−ＲＷ、ＤＶＤ−ＲＡＭ、ＤＶＤ−Ｒ等の記憶媒体等を含む。外部記憶部６６は、図１、図７、図９および図１１の各処理部の機能を、ＣＰＵ６１に実行させるためのプログラムを記憶している。また、計測データベース１１、特徴量部分特定データベース３１および劣化特性データベース４１も、外部記憶部６６に含まれる。ここでは、外部記憶部６６を１つのみ示しているが、複数存在しても構わない。
【０１０９】
主記憶部６５は、ＣＰＵ６１による制御の下で、外部記憶部６６に記憶された制御プログラムを展開し、当該プログラムの実行時に必要なデータ、当該プログラムの実行により生じたデータ等を記憶する。主記憶部６５は、例えば揮発性メモリ（ＤＲＡＭ、ＳＲＡＭ等）または不揮発性メモリ（ＮＡＮＤフラッシュメモリ、ＭＲＡＭ等）など、任意のメモリまたは記憶部を含む。主記憶部６５に展開された制御プログラムがＣＰＵ６１により実行されることで、放電曲線断片生成部２１、教師データ選択部２２、充放電曲線生成部２３、ｄＱｄＶ曲線算出部２４、特徴量算出部３２、電池評価部４２、出力部５０、使用条件設定部４３、閾値＆パラメータ設定部４４、および特徴量選択部４５の機能が実行される。
【０１１０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１１】
１０：蓄電池
１１：計測データベース
２１：充放電曲線断片生成部（データ断片生成部）
２２：教師データ選択部
２３：充放電曲線生成部（データ生成部）
２４：ｄＱｄＶ曲線算出部
３１：特徴量部分特定データベース
３２：特徴量算出部
４１：劣化特性データベース
４２：電池評価部
４３：使用条件設定部
４４：閾値＆パラメータ設定部
４５：特徴量選択部
５０：出力部
【図１】
2016126891.tif 000003
【図２】
2016126891.tif 000004
【図４】
2016126891.tif 000005
【図５】
2016126891.tif 000006
【図６】
2016126891.tif 000007
【図７】
2016126891.tif 000008
【図８】
2016126891.tif 000009
【図９】
2016126891.tif 000010
【図１０】
2016126891.tif 000011
【図１１】
2016126891.tif 000012
【図１２】
2016126891.tif 000013
【図１３】
2016126891.tif 000014
【図１５】
2016126891.tif 000015
【図１６】
2016126891.tif 000016
【図３】
2016126891.tif 000017
【図１４】
2016126891.tif 000018